(57)【要約】      （修正有）【課題】内装材料表面を加熱することにより付着した燻蒸ガスを追い出すことを可能とする燻蒸処理室、燻蒸処理装置および燻蒸ガスの除去方法を提供する。【解決手段】内装材の裏面に発熱体を組み込んだパネル材により壁面を形成し、内装意匠材の表面に発熱体を重合した透明のパネル材を配設することにより壁面として、空気導入部を備えた燻蒸処理室４１と、燻蒸処理室に噴出部と吸引部とを介して隣接配置された循環シャフト４４と、循環シャフト内に燻蒸ガスを供給する燻蒸ガス注入装置５０とを備え、循環シャフトは、噴出部に送風機を設け、送風機の吸込側に発熱体を設けた混合用パネル４８を配置し、燻蒸ガス注入装置から注入される燻蒸ガスを取り込み、送風機により噴出部と吸引部とを介して燻蒸処理室の空気を循環させ、燻蒸ガスの離脱時に発熱体により循環空気を昇温し壁面に吸着した燻蒸ガスを除去する。【選択図】図３
2006212193.tif 000002
【特許請求の範囲】
【請求項１】
内装材の裏面に発熱体を組み込んだパネル材により壁面を形成して成る
ことを特徴とする燻蒸処理室。
【請求項２】
内装意匠材の表面に発熱体を重合した透明のパネル材を配設することにより壁面を形成して成る
ことを特徴とする燻蒸処理室。
【請求項３】
空気導入部を備えた燻蒸処理室と、
前記燻蒸処理室に噴出部と吸引部とを介して隣接配置された循環シャフトと、
前記循環シャフト内に燻蒸ガスを供給する燻蒸ガス注入装置とを備え、
前記循環シャフトは、前記噴出部に送風機を設け、前記送風機の吸込側に発熱体を設けた混合用パネルを配置し、前記燻蒸ガス注入装置から注入される燻蒸ガスを取り込み、前記送風機により前記噴出部と前記吸引部とを介して前記燻蒸処理室の空気を循環させ、前記燻蒸ガスの離脱時に前記発熱体により循環空気を昇温する
ことを特徴とする燻蒸処理装置。
【請求項４】
請求項３に記載の燻蒸処理装置において、
前記燻蒸処理室は、内装材の裏面に発熱体を組み込んだパネル材により壁面を形成して成る
ことを特徴とする燻蒸処理装置。
【請求項５】
請求項３に記載の燻蒸処理装置において、
前記燻蒸処理室は、内装意匠材の表面に発熱体を重合した透明のパネル材を配設することにより壁面を形成して成る
ことを特徴とする燻蒸処理装置。
【請求項６】
請求項１に記載の燻蒸処理室における燻蒸ガスの除去方法において、
前記燻蒸ガスの排気を行いながら、前記発熱体により前記壁面の表面温度を３５〜４０℃に加熱し、前記壁面が吸着した化学物質を強制的に離脱して排出する
ことを特徴とする燻蒸ガスの除去方法。
【請求項７】
請求項２に記載の燻蒸処理室における燻蒸ガスの除去方法において、
前記燻蒸ガスの排気を行いながら、前記発熱体により前記壁面の表面温度を３５〜４０℃に加熱し、前記壁面が吸着した化学物質を強制的に離脱して排出する
ことを特徴とする燻蒸ガスの除去方法。
【請求項８】
請求項３に記載の燻蒸処理装置における燻蒸ガスの除去方法において、
前記燻蒸ガスの排気を行いながら、前記発熱体により前記混合パネルの表面温度を３５〜４０℃に加熱し、前記送風機により前記噴出部と前記吸引部とを介して前記燻蒸処理室の空気を循環させ、前記壁面が吸着した化学物質を強制的に離脱して排出する
ことを特徴とする燻蒸ガスの除去方法。
【請求項９】
請求項４に記載の燻蒸処理装置における燻蒸ガスの除去方法において、
前記燻蒸ガスの排気を行いながら、前記発熱体により前記混合パネルの表面温度を３５〜４０℃に加熱し、前記送風機により前記噴出部と前記吸引部とを介して前記燻蒸処理室の空気を循環させ、前記発熱体により前記壁面の表面温度を３５〜４０℃に加熱し、前記壁面が吸着した化学物質を強制的に離脱して排出する
ことを特徴とする燻蒸ガスの除去方法。
【請求項１０】
請求項５に記載の燻蒸処理装置における燻蒸ガスの除去方法において、
前記燻蒸ガスの排気を行いながら、前記発熱体により前記混合パネルの表面温度を３５〜４０℃に加熱し、前記送風機により前記噴出部と前記吸引部とを介して前記燻蒸処理室の空気を循環させ、前記発熱体により前記壁面の表面温度を３５〜４０℃に加熱し、前記壁面が吸着した化学物質を強制的に離脱して排出する
ことを特徴とする燻蒸ガスの除去方法。
【発明の詳細な説明】
【技術分野】
【０００１】
本発明は、燻蒸処理室、燻蒸処理装置および燻蒸ガスの除去方法に関する。
ホルムアルデヒド等の化学物質を定期的に注入して室内の化学物質濃度を一時的に高めて燻蒸を行う施設においては、燻蒸した後、入室する際には、燻蒸に使用した化学物質を厚生労働省が示す室内の化学物質濃度指針値以下まで短時間に低減することで、安全を確保する。人の心理面や居住性も考慮した意匠性が求められる空間（部屋）も含まれる。
【背景技術】
【０００２】
滅菌を目的として行われる燻蒸処理に用いられる燻蒸ガスは、気化させて室内に導入し、処理後は燻蒸ガスを速やかに排気しなければならない。通常は、そのまま屋外に排気する場合が多い。しかし、化学物質の排出規制の動向から、排気時にブロアーで室内に残留する燻蒸ガスを吸引して、除外装置で処理する燻蒸処理装置が知られている（例えば、特許文献１参照）。
【０００３】
その一例を図５に示す。図５では、バイオクリーンルーム１に適用した場合について説明する。
バイオクリーンルーム１は、清浄空気を供給する空気導入部２を天井に備えるとともに、排気口３を床に備えている。空気導入部２には、外気を導入し温度、湿度を調整する空調機４と温度、湿度を調整された空気の清浄度を高める高性能フィルタ５とを備えた給気路６が設けてある。また、排気口３には、バイオクリーンルーム１内の空気を排気するファン７を備えた排気路８が設けてある。給気路６と排気路８とは開閉弁９ａを設けたバイパス路９を介して連絡している。給気路６はバイパス路９との接続部より上流側に開閉弁６ａを設け、排気路８はバイパス路９との接続部より下流側に開閉弁９ａを設けている。また、バイオクリーンルーム１には、燻蒸ガス発生装置１０が連絡している。
【０００４】
このように構成された従来装置では、バイオクリーンルーム１の空調と清浄度を保つための通常運転時には、バイパス路９の開閉弁９ａを閉じた状態で、外気を導入し給気路６にて所定の処理を施してバイオクリーンルーム１内に空調された清浄空気を空気導入部２から供給し、ファン７にてバイオクリーンルーム１内の空気を吸引し、外部へ排気している。勿論、バイパス路９の開閉弁９ａの開度を調整し、バイオクリーンルーム１内の空気を循環することも可能である。
【０００５】
そして、バイオクリーンルーム１を燻蒸処理する場合には、給気路６および排気路８の開閉弁６ａ，８ａを閉じるとともに、バイパス路９の開閉弁９ａを開き、次いで、燻蒸ガス発生装置１０から燻蒸ガスをバイオクリーンルーム１内に供給し、燻蒸ガスを排気路８、バイパス路９、給気路６およびバイオクリーンルーム１を介して所定時間循環する。例えば、殺菌を目的として燻蒸を行う施設においては、パラホルムを加熱蒸散させることでホルムアルデヒドを３０００ｐｐｍ程度まで濃度を高めて一定時間放置する。そして、燻蒸処理後は、燻蒸ガス発生装置１０を停止し、バイパス路９の開閉弁９ａを閉じるとともに給気路６および排気路８の開閉弁６ａ、８ａを開いて外気を導入しながら燻蒸ガスを排気する。燻蒸が終了してから、通常の運用を行うまでに、強制的な排気や空気清浄機の運転を行うことでホルムアルデヒド濃度の低減を行う。この際、例えば、特許文献１に示すような燻蒸処理装置により処理をすることが行われる。
【特許文献１】特許第２７６０９０９号公報
【発明の開示】
【発明が解決しようとする課題】
【０００６】
しかし、バイオクリーンルーム１では、内装材にホルムアルデヒドが凝縮し、吸着することで残留する室内のホルムアルデヒド濃度が低減するまでに約２日を要する場合が多い。例えば、燻蒸時と排気時の室内のホルムアルデヒド濃度および水分濃度を測定すると、燻蒸時（密閉空間）で室内ホルムアルデヒド濃度、水分濃度は減衰し、室内内装材全体に吸着することがわかる。また、入室者の健康面の配慮から、厚生労働省が示す室内化学物質濃度指針値を下回るようにしなければならず、通常は排気を行って２日程度は入室が禁止され、施設の運用効率が低くなってしまう。入室が許可される室内のホルムアルデヒドの濃度は、健康を損ねない厚生労働省が示す指針値０．０８ｐｐｍ以下（作業領域においては０．２５ｐｐｍ）であることが必要である。安全な濃度までホルムアルデヒドを低減するためには、多くの排気を継続して運転することが必要であり、ランニングコストが増える。また、排気を行っている間は、施設の使用ができないため、運用効率が低くなる。
【０００７】
本発明は斯かる従来の問題点を解決するために為されたもので、その目的は、内装材料表面を加熱することにより付着した燻蒸ガスを追い出すことを可能とする燻蒸処理室、燻蒸処理装置および燻蒸ガスの除去方法を提供することにある。
【課題を解決するための手段】
【０００８】
請求項１に係る発明は、内装材の裏面に発熱体を組み込んだパネル材により壁面を形成して成る。
請求項２に係る発明は、内装意匠材の表面に発熱体を重合した透明のパネル材を配設することにより壁面を形成して成る。
請求項３に係る発明は、空気導入部を備えた燻蒸処理室と、燻蒸処理室に噴出部と吸引部とを介して隣接配置された循環シャフトと、循環シャフト内に燻蒸ガスを供給する燻蒸ガス注入装置とを備え、循環シャフトは、噴出部に送風機を設け、送風機の吸込側に発熱体を設けた混合用パネルを配置し、燻蒸ガス注入装置から注入される燻蒸ガスを取り込み、送風機により噴出部と吸引部とを介して燻蒸処理室の空気を循環させ、燻蒸ガスの離脱時に発熱体により循環空気を昇温する。
【０００９】
請求項４に係る発明は、請求項３に記載の燻蒸処理装置において、燻蒸処理室は、内装材の裏面に発熱体を組み込んだパネル材により壁面を形成して成る。
請求項５に係る発明は、請求項３に記載の燻蒸処理装置において、燻蒸処理室は、内装意匠材の表面に発熱体を重合した透明のパネル材を配設することにより壁面を形成して成る。
【００１０】
請求項６に係る発明は、請求項１に記載の燻蒸処理室における燻蒸ガスの除去方法において、燻蒸ガスの排気を行いながら、発熱体により壁面の表面温度を３５〜４０℃に加熱し、壁面が吸着した化学物質を強制的に離脱して排出する。
請求項７に係る発明は、請求項２に記載の燻蒸処理室における燻蒸ガスの除去方法において、燻蒸ガスの排気を行いながら、発熱体により壁面の表面温度を３５〜４０℃に加熱し、壁面が吸着した化学物質を強制的に離脱して排出する。
【００１１】
請求項８に係る発明は、請求項３に記載の燻蒸処理装置における燻蒸ガスの除去方法において、燻蒸ガスの排気を行いながら、発熱体により混合パネルの表面温度を３５〜４０℃に加熱し、送風機により噴出部と吸引部とを介して燻蒸処理室の空気を循環させ、壁面が吸着した化学物質を強制的に離脱して排出する。
請求項９に係る発明は、請求項４に記載の燻蒸処理装置における燻蒸ガスの除去方法において、燻蒸ガスの排気を行いながら、発熱体により混合パネルの表面温度を３５〜４０℃に加熱し、送風機により噴出部と吸引部とを介して燻蒸処理室の空気を循環させ、発熱体により壁面の表面温度を３５〜４０℃に加熱し、壁面が吸着した化学物質を強制的に離脱して排出する。
【００１２】
請求項１０に係る発明は、請求項５に記載の燻蒸処理装置における燻蒸ガスの除去方法において、燻蒸ガスの排気を行いながら、発熱体により混合パネルの表面温度を３５〜４０℃に加熱し、送風機により噴出部と吸引部とを介して燻蒸処理室の空気を循環させ、発熱体により壁面の表面温度を３５〜４０℃に加熱し、壁面が吸着した化学物質を強制的に離脱して排出する。
【発明の効果】
【００１３】
（１）吸着した化学物質を内装材表面から強制的に脱離させて、室内の燻蒸ガス濃度を短時間に低減させることで、施設の運転効率を向上させることができる。
（２）吸着した化学物質を完全に脱離させて室内の化学物質濃度を確実に低減させることで、入室する人の安全を確保できる。
（３）意匠性の選択範囲が広がる。
【発明を実施するための最良の形態】
【００１４】
以下、本発明を図面に示す実施形態に基づいて説明する。
図１は、本発明の一実施形態に係る燻蒸処理室を示す（請求項１に対応）。
本実施形態に係る燻蒸処理室は、例えば、図５に示すバイオクリーンルーム１と同様に、清浄空気を供給する空気導入部２を天井に備えるとともに、排気口３を床に備えている。空気導入部２には、外気を導入し温度、湿度を調整する空調機４と温度、湿度を調整された空気の清浄度を高める高性能フィルタ５とを備えた給気路６が設けてある。また、排気口３には、バイオクリーンルーム１内の空気を排気するファン７を備えた排気路８が設けてある。給気路６と排気路８とは開閉弁９ａを設けたバイパス路９を介して連絡している。給気路６はバイパス路９との接続部より上流側に開閉弁６ａを設け、排気路８はバイパス路９との接続部より下流側に開閉弁９ａを設けている。また、バイオクリーンルーム１には、燻蒸ガス発生装置１０が連絡している。
【００１５】
本実施形態に係る燻蒸処理室では、バイオクリーンルーム１の壁面２０を、図１に示すように、一対の鋼板２１，２２の間に面状発熱体または線状発熱体などの発熱体２３と珪酸カルシウム板２４とを組み込んだパネル材により形成している。この壁面２０には、所定の内装材が取り付けられている。ここで、壁面２０とは、バイオクリーンルーム１の床、壁、天井などの内壁面の全面もしくはその一部をいう。
【００１６】
次に、本実施形態の作用を説明する（請求項６に対応）。
本実施形態に係る燻蒸処理室は、例えば、バイオクリーンルーム１の空調と清浄度を保つための通常運転時には、バイパス路９の開閉弁９ａを閉じた状態で、外気を導入し給気路６にて所定の処理を施してバイオクリーンルーム１内に空調された清浄空気を空気導入部２から供給し、ファン７にてバイオクリーンルーム１内の空気を吸引し、外部へ排気している。勿論、バイパス路９の開閉弁９ａの開度を調整し、バイオクリーンルーム１内の空気を循環することも可能である。
【００１７】
そして、燻蒸処理室を燻蒸処理する場合には、給気路６および排気路８の開閉弁６ａ，８ａを閉じるとともに、バイパス路９の開閉弁９ａを開き、次いで、燻蒸ガス発生装置１０から燻蒸ガスをバイオクリーンルーム１内に供給し、燻蒸ガスを排気路８、バイパス路９、給気路６およびバイオクリーンルーム１を介して所定時間循環する。例えば、殺菌を目的として燻蒸を行う施設においては、パラホルムを加熱蒸散させることでホルムアルデヒドを３０００ｐｐｍ程度まで濃度を高めて一定時間放置する。そして、燻蒸処理後は、燻蒸ガス発生装置１０を停止し、バイパス路９の開閉弁９ａを閉じるとともに給気路６および排気路８の開閉弁６ａ、８ａを開いて外気を導入しながら燻蒸ガスを排気しながら、発熱体２３に通電して壁面２０の表面温度を３５〜４０℃に加熱し、壁面２０が吸収した燻蒸ガスを強制的に離脱し排出する。この際、排気ガスを公知の燻蒸処理装置により処理をすることが行われる。
【００１８】
以上のように、本実施形態によれば、燻蒸のために、ホルムマリン等の化学物質を注入した後、排気を行いながら、壁面２０の表面を３５〜４０℃まで加熱して、吸着した化学物質を強制的に離脱して脱離させて排出するので、燻蒸処理室内の燻蒸ガス濃度を短時間に低減させることが可能となる。
図２は、本発明の別の実施形態に係る燻蒸処理室を示す（請求項２に対応）。
【００１９】
本実施形態に係る燻蒸処理室は、図１に示す一実施形態と同様に、例えば図５に示すバイオクリーンルーム１に相当する。
本実施形態に係る燻蒸処理室では、バイオクリーンルーム１の壁面３０を、図２に示すように、壁面３０を取り付ける下地材３１と、下地材３１に取り付けられる内装意匠材３２と、内装意匠材３２に取り付けられる表面に発熱体を重合した透明のパネル材３３とから成るパネル材により形成している。ここで、発熱体は、例えば、ガラスやアクリル樹脂板に金属膜を蒸着することによって構成されている。また、壁面３０とは、バイオクリーンルーム１の床、壁、天井などの内壁面の全面もしくはその一部をいう。
【００２０】
次に、本実施形態に係る燻蒸処理室の作用を説明する（請求項７に対応）。
例えば、バイオクリーンルーム１として通常に使用する場合は、一実施形態と同様に作用する。
そして、燻蒸処理室を燻蒸処理する場合には、給気路６および排気路８の開閉弁６ａ，８ａを閉じるとともに、バイパス路９の開閉弁９ａを開き、次いで、燻蒸ガス発生装置１０から燻蒸ガスをバイオクリーンルーム１内に供給し、燻蒸ガスを排気路８、バイパス路９、給気路６およびバイオクリーンルーム１を介して所定時間循環する。例えば、殺菌を目的として燻蒸を行う施設においては、パラホルムを加熱蒸散させることでホルムアルデヒドを３０００ｐｐｍ程度まで濃度を高めて一定時間放置する。そして、燻蒸処理後は、燻蒸ガス発生装置１０を停止し、バイパス路９の開閉弁９ａを閉じるとともに給気路６および排気路８の開閉弁６ａ、８ａを開いて外気を導入しながら燻蒸ガスを排気しながら、透明のパネル材３３の発熱体に通電して壁面３０の表面温度を３５〜４０℃に加熱し、壁面３０が吸収した燻蒸ガスを強制的に離脱し排出する。この際、排気ガスを公知の燻蒸処理装置により処理をすることが行われる。
【００２１】
以上のように、本実施形態によれば、燻蒸のために、ホルムマリン等の化学物質を注入した後、排気を行いながら、壁面３０の表面を３５〜４０℃まで加熱して、透明のパネル材３３に吸着した化学物質を強制的に離脱して脱離させて排出するので、燻蒸処理室内の燻蒸ガス濃度を短時間に低減させることが可能となる。
また、本実施形態によれば、意匠性を高めるために、木質材料や壁紙等一般の内装仕上げ材を内装意匠材３２として用い、その表面にガラス等の透明のパネル材３３を被せることで、化学物質の内装意匠材３２への放散を低減することが可能となる。そのため、燻蒸処理室の構成材料が任意に選定できる。
【００２２】
図３、図４は、本発明の一実施形態に係る燻蒸処理装置４０を示す（請求項３，４，５に対応）。
本実施形態に係る燻蒸処理装置４０は、天井に空気導入部４２を備えた燻蒸室４１と、燻蒸処理室４１に噴出部４５と吸引部４６とを設けた壁面４３を介して隣接配置された循環シャフト４４と、循環シャフト４４内に燻蒸ガスを供給する燻蒸ガス注入装置５０と、循環シャフト４４の下部に設けた排気口４９と連絡する除外装置６０とを備えている。
【００２３】
燻蒸室４１は、床、壁、天井などの内壁面の全面もしくはその一部が図１に示す壁面２０または図２に示す壁面３０によって構成されている。また、空気導入部４２には、例えば、図５に示すように、外気を取り込むとともにその温度、湿度を調整する空調機と、所定の清浄度にする高性能フィルタとが連絡している。また、燻蒸室４１をバイオクリーンルームとして使用する場合には、例えば、図５に示すように、床に排気口を設け、排気ファンを介して排気する排気路を設けている。
【００２４】
循環シャフト４４は、噴出部４５に循環ファン４７を設け、循環ファン４７の吸込側に発熱体を設けた混合用パネル４８を配置している。混合用パネル４８は、複数のステンレス等の鋼板を階段状や螺旋状に組んで形成されたパネルと、このパネル表面に取り付けられ加熱時に表面温度が３５〜４０℃になる発熱体とで構成されている。
燻蒸ガス注入装置５０は、マスフローコントローラ５２および切替バルブ５３を設けた燻蒸ガス管５１を介して循環シャフト４４内と連絡している。マスフローコントローラ５２は、壁面４３の吸引部４６側に設けた燻蒸ガス濃度センサ４９と連絡している。
【００２５】
除外装置６０は、循環シャフト４４の下部に設けた排気口４９に連絡する排気管６１を介して連絡している。排気管６１には排気ファン６２が設けてある。
次に、本実施形態の作用を説明する（請求項８，９，１０に対応）。
例えば、燻蒸室４１をバイオクリーンルーム１として通常に使用する場合は、図１の一実施形態と同様に作用する。
【００２６】
そして、燻蒸室４１の燻蒸処理する場合には、給気路および排気路を閉じるとともに、除外装置６０を閉じた状態で、燻蒸ガス注入装置５０から燻蒸ガスを循環シャフト４４内供給する。循環シャフト４４では、循環ファン４７により噴出部４６と吸引部４７とを介して燻蒸処理室４１の空気を循環させ、燻蒸処理を行う。この際、混合用パネル３４は、図４に示すように、燻蒸ガス注入装置５０から導入された燻蒸ガスを循環ファン４７に吸引される際に循環シャフト４４内の空気と混合することができる攪拌装置として機能する。また、マスタフローコントローラ５２は、燻蒸ガス濃度センサ４による到達濃度の予測制御により燻蒸ガス注入装置５０の導入量を制御している。
【００２７】
燻蒸ガスの離脱時には、切替バルブ５３により燻蒸ガス管５１を閉じた後、給気路を開き、除外装置６０を駆動し、排気ファン６２により燻蒸ガスを排気する。この際、燻蒸室４１の壁面２０または３０に設けた発熱体および循環シャフト４４内の混合用パネル４８に設けた発熱体に通電し、表面温度を３５〜４０℃に発熱する。これによって、循環シャフト４４内および燻蒸室４１内の雰囲気温度は高まるとともに混合用パネル４８および燻蒸室４１の壁面に吸着した化学物質が離脱する。また、循環ファン４７により加温された空気が燻蒸室４１内に送られ、燻蒸室４１内の温度が上昇し、燻蒸室４１壁面に吸着した化学物質が離脱する。このとき、燻蒸室４１に供給する清浄空気を一時的に増やすことで、燻蒸室４１の壁面から離脱した化学物質は早期に燻蒸室４１の外部へ排出させることができる。また、燻蒸室４１の壁面２０または３０の一部に発熱体を設ける場合も、その設置面積を増やすほど、燻蒸室４１の化学物質濃度の低減効果は大きくなる。
【００２８】
この操作により、燻蒸室４１内の化学物質の濃度を０．０８ｐｐｍ以下に低減することができる。
以上のように、本実施形態によれば、燻蒸のために、ホルムマリン等の化学物質を注入した後、排気を行いながら、燻蒸室４１の壁面２０または３０の表面を３５〜４０℃まで加熱するとともに混合パネル４７の表面を３５〜４０℃まで加熱することができるので、燻蒸室４１および循環シャフト４４内の壁面２０または３０および混合パネル４７に吸着した化学物質を強制的に離脱して脱離させて排出することが可能となり、燻蒸処理室内の燻蒸ガス濃度を短時間に低減させることが可能となる。
【００２９】
なお、循環シャフト４４の壁面も同様に、図１または図２に示す壁面２０または３０とすると、さらに短時間に吸着した化学物質を離脱することが可能となる。
また、燻蒸ガスとして、ホルムアルデヒドについて説明したが、例えば、過酢酸液やダルタールでも同様に対応できる。
【産業上の利用可能性】
【００３０】
本発明によれば、下記の分野において利用可能である。
・食品等を一時的に保管するために燻蒸する倉庫
・美術館、博物館において、燻蒸処理を行う収蔵庫
・ホルムアルデヒド等で定期的に燻蒸を行う病院、製薬製造・研究施設、動物舎等
・燻蒸により殺菌を行うバイオクリーンルーム
・脱臭・マスキング等を目的として化学物質を噴霧する居室（喫煙場所等）
・空気浄化機能を有する浄化剤の効率試験を行うチャンバー
・工業化製品全般のガス耐久性試験室
【図面の簡単な説明】
【００３１】
【図１】本発明の一実施形態に係る燻蒸処理室を構成する壁面の分解斜視図である。
【図２】本発明の別の実施形態に係る燻蒸処理室を構成する壁面の分解斜視図である。
【図３】本発明の一実施形態に係る燻蒸処理装置を示す説明図である。
【図４】図３の燻蒸処理装置の作動状態を示す説明図である。
【図５】従来の燻蒸処理装置を示す説明図である。
【符号の説明】
【００３２】
１  バイオクリーンルーム
２  空気導入部
３  排気口
４  空調機
５  高性能フィルタ
６  給気路
６ａ，７ａ，８ａ  開閉弁
７  ファン
８  排気路
９  バイパス路
２０，３０  壁面
２１，２２  鋼板
２３  発熱体
２４  珪酸カルシウム板
３１  下地材
３２  内装意匠材
３３  透明のパネル材
４０  燻蒸処理装置
４１  燻蒸室
４２  空気導入部
４３  壁面
４４  循環シャフト
４５  噴出部
４６  吸引部
４７  循環ファン
４８  混合用パネル
４９  排気口
５０  燻蒸ガス注入装置
５１  燻蒸ガス管
５２  マスフローコントローラ
５３  切替バルブ
６０  除外装置
６１  排気管
６２  排気ファン
【図１】
2006212193.tif 000003
【図２】
2006212193.tif 000004
【図３】
2006212193.tif 000005
【図４】
2006212193.tif 000006
【図５】
2006212193.tif 000007